(57)【要約】【課題】  画像表示に用いられるＴＦＴ液晶表示素子の、視覚変化によって生じるコントラストの低下、階調の劣化を、簡単かつ迅速に解消する。【解決手段】  カメラ本体に調整可能な構造で接続される情報表示手段と、上記情報表示手段を構成する主表示手段と、主表示手段の停止位置を決めるための停止位置決定手段を持ち、上記主表示手段の視認方向を、上記停止位置決定手段により決定することを特徴とするカメラの表示装置。【選択図】  図１
2005128416.tif 000002
【特許請求の範囲】
【請求項１】
カメラ本体に調整可能な構造で接続される情報表示手段と、上記情報表示手段を構成する主表示手段と、主表示手段の停止位置を決めるための停止位置決定手段を持ち、上記主表示手段の視認方向を、上記停止位置決定手段により決定することを特徴とするカメラの表示装置。
【請求項２】
主表示手段と停止位置決定手段の視認方向は、同一方向にある事特徴とする
カメラの表示装置。
【請求項３】
主表示手段の視角と停止位置決定手段の視角は、所定距離内に於いて、停止位置決定手段の視角の方が小さい事を特徴とするカメラの表示装置。
【請求項４】
主表示手段である液晶表示素子は、ＴＦＴ液晶表示素子であることを特徴とするカメラの表示装置。
【請求項５】
停止位置決定手段は、発光素子のＬＥＤ素子を使う事を特徴とするカメラの表示装置。
【請求項６】
停止位置決定手段は、反射像を使って停止位置を決定する事を特徴とするカメラの表示装置。
【請求項７】
機器本体に移動可能に取り付けられた画像表示部と、この画像表示部の停止位置を決定する停止位置決定手段とを有し、
前記画像表示部の視認方向は、前記停止位置決定手段により決定されることを特徴とする電子機器。
【発明の詳細な説明】
【技術分野】
【０００１】
本発明は、デジタルカメラやデジタルカムコーダーなどの情報記録機器の表示装置に関するものである。
【背景技術】
【０００２】
情報記録機器のデジタルカメラやデジタルカムコーダーには情報表示装置としてTFT液晶表示モニターが採用されている。  このTFT液晶表示モニターは、高精細な表示で忠実な色表現と再現性を可能にして、利用者へ明瞭で忠実な被写体情報の表示を提供し、撮影中でも設定情報を直感的に確認可能として、情報表示の認識性を飛躍低に向上させている。    この情報記録機器では、構造面からは情報表示装置の本体への収納性と、撮影アングルに対応した接続構成で操作性を向上している。
【０００３】
しかし、ＴＦＴ液晶表示素子では、表示から得る明瞭で忠実な被写体情報の指向性は狭い。
ＴＦＴ液晶表面の法線から所定視角から外れた場合、忠実な色表現が視認できなくなる。また、視認性の低下とともに、撮影アングル自体の設定が困難になる。    利用者は表示装置の適正位置を得るための操作により撮影に集中できない状況が生じ、操作性及び利便性が低下する。
改善する従来技術として、液晶ディスプレイの取付け角度を変更するもの、目視角度に対応した液晶表示素子への印加電圧を変更させるものなどがある。
【０００４】
液晶表示素子はその構造による特性から視角に対する階調の変化が大きく、所定の視野角以外では画像のコントラスト比が減少し、本来明るく見えるべきセグメントが暗く見え、逆に暗い部分が明るく見える現象を生じる。高品位多色表示のカラー液晶表示素子の画像では視角の変化に対して、見えの変化が激しく色の忠実性・再現性が減退して品位が下がって行く。
【０００５】
特許文献１には、液晶ディスプレイの取付け角度を利用者が自動的に最適の視覚でモニターできるように制御したカメラが開示されている。具体的には、視角調整に簡単な調整構造を用い、適正な視角を設定できるようにしている。
【０００６】
特許文献２には、表示画面の周辺明るさと使用者の視角を検出して、表示素子のコントラストと明るさを自動的に調整したカメラが提案されている。
【０００７】
また、特許文献３には、液晶表示の視角位置に応じた適正な階調を得るための複数のデータテーブルを持ち、スイッチ入力で視角に対する最適表示を選択させたカメラが提案されている。
【０００８】
図６には、特許文献２で開示されたカメラの表示装置が示されている。同図において、１００はワードプロセッサの表示パネル、１０１は透過性基板、１０２は液晶表示素子、１０３は複数のＬＳＩチップ、１０４は明るさ検出手段、１０５はフォトダイオード、１０６は視角検出手段、１０７は、１０８はＰＳＤ、１０９は発光ダイオードである。
【０００９】
１０２の液晶表示素子の周辺明るさを、１０５のフォトダイオードで検出する１０４の明るさ検出手段で行い、検出結果に基づいて１０２の液晶表示素子の明るさとコントラストを調整する。
【００１０】
１０６の視角検出手段は、１０９の発光ダイオードの光が使用者を照射し、その反射光を１０７、１０８のＰＳＤが受ける。１０７、１０８が使用者の視角を検出し、検出結果により１０２の液晶表示素子のコントラストを調整する。
【特許文献１】特開平５−１４８３８号公報
【特許文献２】特開平６−３３２３８５号公報
【特許文献３】実開平５−６１７９４号公報
【発明の開示】
【発明が解決しようとする課題】
【００１１】
近年、情報記録機器のデジタルカメラやデジタルカムコーダーには情報表示装置としてTFT液晶表示モニターが採用されている。このTFT液晶表示モニターは、高精細な画像表示によって忠実な色表現とその再現性を可能にしている。
【００１２】
利用者へ明瞭で忠実な被写体情報の表示を提供し、撮影中でも設定情報を直感的に確認可能にし、情報表示の認識性を飛躍低に向上させている。これらの情報記録機器では、構造面上からは情報表示装置の本体への収納性と、撮影アングルに対応した接続構成で操作性を向上している。
【００１３】
これらの状況下、従来技術では幾多の改善が必要となってきている。上記従来例では以下の欠点が有った。特許文献１にて記載の従来例は、利用者の液晶を見る顔の位置をセンサーで検出することで視角を求めて、液晶ディスプレイの取付け位置を制御する方式で、検出した結果で機器側が制御する為、利用者の挙動や個人差による視角の変化など、フィードバック制御が必要になり、応答遅れが生じる可能性がある。
【００１４】
さらに、この従来例では、表示装置を機械的に回転可能な構造にして利用者の視角に合せているが、利用者の視角変化で決まる液晶表示の見え具合は、ディスプレイの可動領域と、停止、ロックのメカ機構で決まる分解解能に影響を受ける。
【００１５】
特許文献２にて記載の従来例では、液晶表素子付近の明るさを光センサーで検出し、利用者の視角を算出、結果に基づいて液晶表示の明るさとコントラストを調整している。周辺の明るさと利用者の視角の範囲によっては、液晶表示素子の有効調整領域（ダイナミックレンジ）外になる可能性が有り、所定の明るさ・視角領域外での見え・品位が低下する。
【００１６】
特許文献３にて記載の従来例では、液晶表示に対する階調の異なる複数のデータを記憶し、利用者が切換えスイッチの切換えにより適正な階調をもとめているが、利用者の視角範囲が大きくなった場合、表示素子の有効階調領域を越える恐れがあり、調整に限界がでて設定視角外では表示品位が低下する。
【００１７】
これらの従来例では、制御方式、周囲環境、構造的制約により、利用者が自身の視角に自分の最適と判断する位置に表示素子を設定できない可能性を多分に秘めている。
【００１８】
そこで本発明は、カメラの高品位カラー液晶表示装置のアングル変化、利用者の視角変化にたいして、利用者が自分自身で迅速に、最適又は許容範囲内に位置調整できる事を可能にした、表示装置を提供することを目的とする。
【課題を解決するための手段】
【００１９】
上記の目的を達成するために、本発明のカメラの表示装置は、情報表示手段を構成する主表示手段と、主表示手段の停止位置を決めるための停止位置決定手段を持ち、上記主表示手段の視認方向の決定を、上記停止位置決定手段により行なう。
【００２０】
具体的には、カメラ本体に本体の水平方向と垂直方向の軸で回転する機構で取付けられた表示装置に、ＴＦＴ液晶表示素子と位置決定のための表示素子を組み込んであり、利用者の視点と表示装置の距離が所定距離以内において、停止位置決定用表示素子の視角が、ＴＦＴ液晶表示素子の視角よりも小さく設定してあるので、停止位置決定用表示素子が視認できる位置が決まれば、ＴＦＴ液晶表示素子の最適位置がおのずと決定される。
【００２１】
その位置では、ＴＦＴ液晶表示素子の見えは本来得られるべき表示として視認を保証される。  カメラの操作により、利用者の視角変化やＴＦＴ液晶表示素子の視角変化が生じた場合に、利用者が停止位置決定用の表示素子の点灯が視認できるように表示装置を手動で回転移動し、停止位置決定用表示素子の点灯が視認された位置で停止するだけでよい。
【００２２】
機器本体に移動可能に取り付けられた画像表示部と、この画像表示部の停止位置を決定する停止位置決定手段とを有し、前記画像表示部の視認方向は、前記停止位置決定手段により決定されることを特徴とする電子機器。
【発明の効果】
【００２３】
以上説明したように、本発明によれば、カメラの表示装置の液晶表示素子が適正視角範囲を外れた場合でも、停止位置決定手段により、適正視角範囲内に迅速に設定し直す事ができるので、利用者はＴＦＴ液晶表示素子の本来持っている、多色で高精細、高品位の情報表示を、忠実な色表現と再現性で、如何なる場合でも損なうことなく視認できる。  また、撮影時は被写体のピント合わせが容易に出来ること、動作確認や撮影データのモニターなどでは設定情報も簡単に判別できる事、など、全てにおいて情報表示の最適かつ良好な視認性が約束されて、利便性が向上する。
【発明を実施するための最良の形態】
【００２４】
以下に本発明の実施例について説明する。
【実施例１】
【００２５】
図１は、本発明の実施例である情報記録機器のカメラの本体及び表示装置を表わした図面である。本図は、表示装置が本体に収納されている状態から、本体収納を外れて回転によるアングル変更ができる構成になっていて、カメラアングルの変化や利用者が視点を変えた場合でも、停止位置決定手段により表示装置を液晶表示素子の有効な視角内に設定できる事で、被写体情報や設定情報を見やすくしている。
【００２６】
１はカメラ本体で、動作時・情報設定時の操作部材の説明は省く。２は表示装置で、３の主表示素子であるＴＦＴ液晶表示素子と、４の停止位置決定手段であるＬＥＤ素子が組込まれている。２の表示装置は、回転によるアングル変更が出来る構造で、５は本体１と２の表示装置をカメラの垂直軸方向を、６の軸（液晶表示素子の短辺方向の軸）を中心に回転する機構を持って接続する接続部材で、７がその回転方向を示す。
【００２７】
８は２の表示装置と５の接続部材をカメラの水平軸方向に回転可能な構造で接続する部材である。 ９はその回転軸（液晶表示素子の長辺方向の軸）で、１０が回転方向を示す。 ４の停止位置決定手段のＬＥＤ表示素子は、９の回転軸上に配置してある。
【００２８】
１１は表示装置が収納される本体の収納スペースであり、撮影や撮影した記録情報のモニターを実行しない時には液晶表示素子を内側にして収納する。カメラのアングルを変化させない時や表示装置を本体から起して操作する事が困難な場合は、液晶表示素子面を表向きにして収納する。
【００２９】
図２は、本発明の実施例を説明するフローチャートである。同図おいて、Ｓ１はカメラが動作スタンバイ状態からの動作変更で、表示装置が本体収納位置から外されてフリーになっているか否かを判断するステータスで、収納したままの状態では、収納を外れるかどうかをチェックし続けている。 フリー状態に変化した場合は、Ｓ２のステータスへ移る。
【００３０】
Ｓ２のステータスでは、ディスプレイＳＷがＯＮになっているか検出して、ＯＦＦの状態であれば液晶表示素子は非点灯のままである。 ディスプレイＳＷがＯＮになると、Ｓ４のステータスで液晶表示がＯＮの動作に入る。液晶表示素子面が外側に向けて収納されていている時、本体収納を外れてフリーな状態になっている時において液晶表示がＯＮになる。
【００３１】
Ｓ４のステータスで液晶表示がＯＮになっていると、Ｓ５のステータスで、停止位置検出用ＳＷの入力を検出する。このフローチャートでは省略しているが、停止位置検出用ＳＷは、液晶表示装置が本体に収納されている場合は受付けられず、常にＯＦＦの状態に保持される。
【００３２】
液晶表示装置が本体収納位置から外れてフリーな状態の時、停止位置検出用ＳＷがＯＮに設定された場合に次のステータスに移る。ここの位置検出用ＳＷは、利用者がマニュアルで操作するＳＷであり、一度ＯＮすると動作が終了するまで記憶されている。再度ＯＮする事によりリセットできる。
【００３３】
記憶の期間は、一連の撮影動作や記録情報のモニターなどが終了し、カメラの電源をＯＦＦするまでである。本ＳＷは、本図には不図示であるが撮影操作に影響しない個所に設置されている。Ｓ６のステータスでは、停止位置決定手段であるところの位置決定用ＬＥＤの点灯を行なう。
【００３４】
Ｓ７のステータスでは、停止位置決定用ＬＥＤの点灯後、表示装置が駆動したかどうか、タイマーによって所定時間だけ検出している。所定時間たっても表示装置が駆動されない場合は停止位置決定用ＬＥＤをＯＦＦにする。所定時間内に表示装置が駆動された場合は、利用者が表示装置を回転させて液晶表示面を変更しているとみなして、停止位置決定用ＬＥＤの点灯を継続する。
【００３５】
Ｓ８のステータスは、利用者が実際に表示装置を操作している状態を現している。Ｓ９ステータスでは、Ｓ７ステータスと同様にタイマーにより、所定時間だけ表示装置の移動を検出している。所定時間の経過後も移動していれば、そのまま停止位置検出用ＬＥＤは点灯のままである。所定時間の間に表示装置が停止した場合、利用者が意図して表示装置を停止したと判断する。
【００３６】
Ｓ１０のステータスでは、利用者が表示装置を停止した状態であり、ＴＦＴ液晶表示が本来持っているところの、高精細な画像表示で被写体の忠実な色表現と再現性を得ることができた状態をあらわしている。表示装置が停止したあとはＳ１１のステータスへ移る。Ｓ１１のステータスでは、停止位置決定用ＬＥＤをＯＮの点灯状態からＯＦＦにする。
【００３７】
Ｓ１２のステータスでは、ＴＦＴ液晶表示はそのまま点灯を続け、本来の高精細な画像表示で、被写体の忠実な色表現と再現性のある表示を利用者に提供している状態、停止位置決定用ＬＥＤがＯＦＦの表示状態をあらわしている。
【００３８】
本発明による表示装置の位置決定手段の詳細を、図３以降で説明する。図３ａは、図１のカメラアングルで利用者が表示装置を覗いている状態図である。図３ｂは、２の表示装置を、１の本体と接続される５の回転接続部材側の反対側からのＴＦＴ液晶表示素子の断面図で、位置決定用ＬＥＤとの視角関係を表している。  両図を使って説明する。
【００３９】
１はカメラ本体、２は液晶表示装置、３はＴＦＴ液晶表示素子、４は停止位置決定手段である位置決定用ＬＥＤである。９は、２の表示装置と、１の本体と接続される８の回転接続部材が回転する回転軸を表わす、１０は、２の液晶表示装置の回転方向を示し、９の回転軸で回転する。１２は、利用者自身を表わし、ＴＦＴ液晶表示素子を覗いている状態。
【００４０】
１３は、２の液晶表示装置の回転軸、３のＴＦＴ液晶表示素子の短辺中心、４の位置決定用ＬＥＤの光軸中心を、それぞれ重ねた状態で便宜的に表わしている。１４は、１２の利用者が、４の停止位置決定用ＬＥＤの点灯時に、その点灯状態が視認できる視角を表わしている。
【００４１】
１５は、３のＴＦＴ液晶表示素子が、本来の高精細な画像表示で、被写体の忠実な色表現と再現性のある表示が視認可能となる視角領域を表わしている。１６は、１のカメラ本体の撮影光軸を表わしている。ＴＦＴ液晶表示素子は、従来のＴＮ型液晶表示素子に比べ視角範囲が狭く、表示装置のアングル変化や利用者の視角変化により、コントラスト低下が生じ、本来の高精細な画像表示で、被写体の忠実な色表現と再現性のある表示、被写体のピント合わせや設定情報の視認が困難になる。
【００４２】
そこで、２の表示装置が、１のカメラ本体のアングル変化や利用者の目の位置に変化が生じた場合、停止位置決定手段である４の位置決定用ＬＥＤを点灯し、１２の利用者が、４の位置決定用ＬＥＤの点灯が視認出来る位置まで利用者が自分で回転移動させる。
【００４３】
４の停止位置決定用ＬＥＤが認識できる１３の視角は、１２の利用者が、２の液晶表示装置からの一般的な視認距離において、３のＴＦＴ液晶表示素子の１５で表す視角より小さく設定してあるので、１３の視角内ではＴＦＴ液晶表示本来の表示として遜色がなく見ることができる。
【００４４】
図４ａは、１のカメラ本体を２の表示装置を開放した状態で、１２の利用者が覗いているアングルを上面から見た図で、図４ｂは、図４ａの、２の表示装置を長辺方向に、４の停止位置決定用ＬＥＤを含めた断面図で表したもの。図４ａで、１７は、ＴＦＴ液晶表示素子の長辺中心を表わし、１２の利用者が略中心に視線をおいて表示を見ているところを表す。
【００４５】
１８は、停止位置決定用ＬＥＤの光軸を表わす。  ４の停止位置決定用ＬＥＤの視角は必ずしも１８の光軸に対して均等に振り分けておらず、光路の決定は２の液晶表示装置の構造によって行っている。これは、４の停止位置決定用ＬＥＤが、２の表示装置と３の液晶表示素子に対して中央に設置されていない事、ＴＦＴ液晶表示素子の視角範囲が、本体の垂直方向の軸で回転する場合の方が、水平方向を軸に回転する場合よりも格段に広い為である。
【００４６】
１９は、４の停止位置決定用ＬＥＤの視角を表わし、２０は、ＴＦＴ液晶表示素子の視角を表す。２１は、２の表示装置の回転方向で、８の接続部材で１の本体と２の表示装置を接続し、８の持つ回転機構で６の軸を中心に回転する。
【００４７】
１のカメラ本体がアングル変更により、２の表示装置と１２の利用者に対する視角が変化してしまった場合、４の停止位置決定用ＬＥＤの点灯が視認できるまで、２１の回転動作を続ける。視認できた時点で停止すると、所定の時間経過後に４の停止位置決定用ＬＥＤがＯＦＦとなる。
【００４８】
この時点で停止位置決定用ＬＥＤの視角が、ＴＦＴ液晶表示素子の視角内に入る事になり、ＴＦＴ液晶表示素子の見えは確保される。図３及び図４で説明したのは、２の液晶表示装置が、６の回転軸及び９の回転軸それぞれの場合であるが、実際のカメラ操作時には各軸の複合的な動作が生じる。これらの動きに対応するように、２の液晶表示装置に組み込まれる４の停止位置決定用ＬＥＤの光路を非対称形状に設定している。
【００４９】
また、不図示だが、３の液晶表示素子と１２の利用者の目までの距離は利用者大衆の一般的な視認距離としているが、これも三次元的な距離設定となっている。また、利用者の好みや個人差による距離の変更を前提に、停止位置決定用ＬＥＤの光路を任意に変更する事も可能である。更に、４の停止位置決定用ＬＥＤの視認が拡大されるなど容易に出来るように光路内にレンズの挿入も可能としている。
【実施例２】
【００５０】
図５ａ及び図５ｂは本発明の第二の実施形である。図５ａは２の液晶表示装置に組み込む停止位置決定手段に反射板を使用する事で目的を達成している。前述の各部位の説明は省略するが、２２及び２３は、反射板で、１２の利用者が２の液晶表示装置を回転して、自分自身を写し出した位置が求める停止位置となる。
【００５１】
ここでは、図５ｂに表わした様に２２、２３の反射板二枚で１２の利用者の視点との間で視角を形成するように構成されていて、第一の実施形と同様に、３の液晶表示素子と１２の利用者の視点距離を設定している。ここでも、距離の可変に対応したり、拡大して視認できる様に、反射板の角度を調整したり、反射板自体を凹凸に設定することは可能である。
【図面の簡単な説明】
【００５２】
【図１】本発明の第一の実施形で、カメラの表示装置を展開した場合の図。
【図２】本発明の第一の実施形で、停止位置決定手段のフローチャート図。
【図３ａ】図１のカメラアングルで利用者が表示装置を覗いている状態図。
【図３ｂ】カメラ本体と接続される回転接続部材側の反対側からのＴＦＴ液晶表示素子      を見た断面図。
【図４ａ】カメラ本体に対して表示装置を展開した状態を示した図。
【図４ｂ】図４ａの利用者が覗いているアングルを上面から見た図。
【図５ａ】液晶表示装置に組み込む停止位置決定手段に反射板を使用した図。
【図５ｂ】反射板と利用者の視点の関係を説明するための図。
【図６】従来例の図面
【符号の説明】
【００５３】
１  カメラ本体
２  液晶表示装置
３  液晶表示素子
４  停止位置決定用ＬＥＤ
５  表示装置垂直軸回転駆動機構
６  垂直回転軸
７  表示装置垂直軸回転方向
８  表示装置水平軸回転駆動機構
９  水平回転軸
１０  表示装置水平軸回転方向
１１  液晶表示装置収納部
【図１】
2005128416.tif 000003
【図２】
2005128416.tif 000004
【図３ａ】
2005128416.tif 000005
【図３ｂ】
2005128416.tif 000006
【図４ａ】
2005128416.tif 000007
【図４ｂ】
2005128416.tif 000008
【図５ａ】
2005128416.tif 000009
【図５ｂ】
2005128416.tif 000010
【図６】
2005128416.tif 000011